(57)【特許請求の範囲】
【請求項１】
位置検出機能を有する携帯電話の位置情報を監視する位置監視センターに、携帯電話から位置端索サービスの申し込みを行う申込方法であって、
前記携帯電話は、
携帯電話の記憶部から当該携帯電話に関する情報を読み出す工程と該読み出した情報を前記位置監視センターに送信する工程とを実行する申込用プログラムをダウンロードするステップと、
前記申込用プログラムを実行するステップと、
前記申込用プログラムにて前記携帯電話に関する情報を読み出して該情報を前記位置監視センターに送信するステップとを有し
前記位置監視センターは、
前記携帯電話に関する情報を受信すると該情報毎に固有の申込番号を設定するステップと、
前記申込番号を前記携帯電話に送信するステップとを有し、
前記携帯電話は、
前記位置監視センターから前記申込番号を受信すると該申込番号を表示出力するステップを有してなる位置端索サービス申込方法。

【発明の詳細な説明】
【０００１】
【発明の属する技術分野】
本発明は、現在位置の取得に使用できるＧＰＳ受信機能を有する汎用的な携帯電話、及び当該携帯電話を使用した位置探索システムにて提供される位置探索サービスを利用者が申込するための位置探索サービス申込方法に関する。
【０００２】
【従来の技術】
近年、携帯電話は通話機能のみならず、メールの送受信機能や各種情報サービスを利用する端末として使用されている。
これに加え、ＧＰＳ（Ｇｌｏｂａｌ Ｐｏｓｉｔｉｏｎｉｎｇ Ｓｙｓｔｅｍ）等の位置検出機能を有した携帯電話等を使用して徘徊者・迷子の捜索や非常通報を行うことが提案されている。
これは、ＧＰＳ受信機能を有する携帯電話を対象者が所持し、対象者の現在位置を確認した場合には、センターより当該携帯電話にアクセスして、携帯電話より位置情報を取得するものである。
このような位置探索サービスは携帯電話の通信業者が提供する情報提供サービスの機能を利用することにより一般に市販されている汎用の携帯電話を利用することが可能である。
【０００３】
【発明が解決しようとする課題】
これらの位置探索サービスを受けるためには、予めサービス提供業者に対して、利用者の氏名等の情報や使用する携帯電話の機種番号や電話番号、携帯電話に搭載されている情報サービスを受けるために通信業者に登録したＩＤや利用者のメールアドレス等を通知して位置監視センターに登録しておく必要がある。しかし、電話番号や通信業者に登録したＩＤ等を調べて申し込むのは煩雑であり、もし、間違って登録されると、適切なサービスが受けられない等の問題がある。そこで、本発明の目的は、上述の問題点に鑑みて、汎用の携帯電話にて位置探索サービスを受けるのに必須の携帯電話に関する情報を、位置監視センターに確実に登録することが可能な、申込方法を提供することにある。
【０００４】
【課題を解決するための手段】
かかる課題を解決するために、本願発明は、位置検出機能を有する携帯電話の位置情報を監視する位置監視センターに、携帯電話から位置端索サービスの申し込みを行う申込方法であって、  前記携帯電話は、携帯電話の記憶部から当該携帯電話に関する情報を読み出す工程と該読み出した情報を前記位置監視センターに送信する工程とを実行する申込用プログラムをダウンロードするステップと、前記申込用プログラムを実行するステップと、前記申込用プログラムにて前記携帯電話に関する情報を読み出して該情報を前記位置監視センターに送信するステップとを有し前記位置監視センターは、前記携帯電話に関する情報を受信すると該情報毎に固有の申込番号を設定するステップと、前記申込番号を前記携帯電話に送信するステップとを有し、前記携帯電話は、前記位置監視センターから前記申込番号を受信すると該申込番号を表示出力するステップを有してなる。かかる構成により、汎用の携帯電話にて位置探索サービスを受けるのに必須の携帯電話に関する情報を、人手を介さずに携帯電話より直接位置監視センターに送信して登録することができるので、誤りなく確実に登録することが可能となる。また、かかる構成により、携帯電話に関する情報の他に必要な情報例えば、利用者の氏名や緊急連絡先を位置監視センターに登録する際に設定された申込番号を使用することにより、利用者の氏名当の利用者情報と使用する携帯電話の情報を関連付けて登録することが可能となる。
【０００６】
【発明の実施の形態】
本発明について、図を用いて説明する。
図１は、本発明の位置探索サービス申込システム及び携帯電話及び位置探索システムの全体システム構成図である。位置探索システムは、携帯電話１と、携帯電話網８をインターネット９又は位置提供会社設備２とを接続可能とする携帯電話会社設備３と、インターネット９及び携帯電話会社設備３と接続された探索センターとして機能する位置提供会社設備２と、及びインターネット９を介して位置探索を依頼する者が位置提供会社設備２にアクセスするためのパソコン６とから構成されている。
携帯電話網８には、無線信号の送受信を行うとともに無線／有線信号を変換し交換網と送受信する基地局８１が設置されている。
携帯電話会社設備３は、測位サーバ−３１、オフィシャルサーバー３２、ＳＭＳサーバー３３、コンテンツサーバー３４が少なくとも設けられ、図示していないゲートウエイサーバーによって各信号がゲートウエイされる。
オフィシャルサーバー３２は、携帯電話１にて使用する各種コンテンツのＪＡＶＡによるアプリケーションソフトを携帯電話にダウンロードするサーバーである。
測位サーバー３１は、携帯電話１の信号を受信した基地局８１の基地局位置情報、携帯電話１が受信したＧＰＳ信号などに基づき、携帯電話１の現在位置を緯度・経度の位置情報として算出し、携帯電話１に当該位置情報を送信するサーバーである。
ＳＭＳサーバー３３は、位置提供会社設備２から位置探索コマンド、追跡コマンド又はブザーコマンドであるショートメッセージの送信要求を受けると、携帯電話１にショートメッセージを送信するサーバーである。なお、このＳＭＳサーバー３３は、位置探索サービスに使用するショートメッセージに位置探索サービスのメッセージであることを識別できるサービス識別コードが付加されている。
コンテンツサーバー３４は、携帯電話１をインターネット９に接続するＷｅｂサーバーとしての機能を有し、予め携帯電話１に対して利用可能なコンテンツをメニュー表示させるなどを担当している。
次に、位置提供会社設備２は、位置情報管理サーバ２１と位置情報提供サーバー２２及びサインアップサーバー２３にて構成される。
位置情報管理サーバー２１は、位置探索サービスを利用可能な携帯電話を登録する機能、登録された契約情報の記憶更新等の管理、携帯電話１を識別するＩＤコード、サービスの利用料金の管理等を行うサーバーである。
位置情報提供サーバー２２は、インターネット９に接続されるＷｅｂサーバーであって、探索要請等をパソコン６からインターネット９経由で受けると、ＳＭＳサーバー３３にショートメッセージの送信を指示し、ＳＭＳサーバー３３から該当する携帯電話１に探索コマンドを送信させる。携帯電話１から位置情報を受信するとインターネット９を介してパソコン６に位置情報を提供する。なお、パソコン６からのアクセスが位置探索サービスを受ける資格を有する者か否かの認証は、位置情報管理サーバー２１とのリンクにより、ＩＤ等の照合にて実現している。また、位置情報提供サーバー２２には、図示していないが位置探索サービスを提供する監視員が使用するディスプレイ及び操作用のキーボードが接続されている。監視員は、利用者からの電話による位置探索依頼を受けると、監視員はキーボードを操作し、前述パソコン６による場合と同様な処理によってディスプレイに表示される携帯電話１の位置情報を電話にて回答する。
サインアップサーバー２３は、位置探索サービスを申し込もうとする利用者が携帯電話１を使用して携帯電話網８を介してアクセスし、利用の申込み及び位置提供会社が位置探索サービスを提供する為に必要な携帯電話１の情報を取得する。
なお、インターネット９には、一般コンテンツサーバー５が接続されており、インターネット上での有料／無料の各種サービスが提供される。
【０００７】
次に、図２及び図３を参照して、携帯電話１の構成を説明する。図２は、携帯電話１の概念ブロックを示す図である。携帯電話１は、無線信号を受信する空中線に接続される無線信号を送受するＲＦ部１０１と、ＧＰＳ衛星７が送信しているＧＰＳ信号をＲＦ部１０１経由して受信するＧＰＳ受信部１０２と、携帯電話網８の基地局８１と無線信号を送受信する送受信部１０３と、携帯電話１の利用者が各種の操作入力をする操作部１０４と、携帯電話１の動作を制御するための各種アプリケーション、オペレーティングシステム、ユーザー登録データ等を記憶するＲＯＭ・ＲＡＭ等からなる記憶部１０５と、携帯電話１の状態や操作ガイダンス等を表示する液晶ディスプレイである表示部１０６と、音声通話音や救急音等を発生させるスピーカ１０７と、音声を集音するためのマイク１０８、各部に電源を供給する電池１０９、及びこれらを制御するＣＰＵである制御部１００から構成されている。
【０００８】
図３は、記憶部１０５の記憶領域を模式したものである。記憶部１０５は、システム領域Ｃ、アプリケーション領域Ａ、ユーザーデータ領域Ｂ、及びワーク領域Ｄから主に構成されている。
システム領域Ｃは、携帯電話１のオペレーティングシステム、携帯電話としての基本機能を実現するネイティブアプリケーション、電話番号/型番等の各種設定データが格納されている。
アプリケーション領域Ａは、後述するように位置探索ソフトが少なくとも記憶され、その他に利用者が登録したコンテンツソフトやアプリケーションソフトが格納されている。
ユーザーデータ領域Ｂは、ショートメッセージサービスにて受信したショートメッセージ等のＳＭＳデータ、利用者が予め頻繁に電話をかける相手の電話番号等の連絡先データ、利用者が登録したコンテンツのＵＲＬ情報等が格納される。その他、ワーク領域Ｄは、種々のアプリケーション等を動作する際に、使用する領域である。
【０００９】
図４は位置探索サービスを申し込むときの携帯電話１の動作を示すフローチャートである。
予め利用者は位置探索サービスの申し込みを行う前に、携帯電話会社との間で情報サービスを受ける契約をする。その際には、携帯電話会社から情報サービスを受けるためのＳｂＩＤが発行されて、当該携帯電話１の記憶部１０５のシステム領域Ｃに記憶される。また、利用者は情報サービスを受けるためのメールアドレスを登録しておく。このメールアドレスも携帯電話１の記憶部１０５のシステム領域Ｃに記憶される。
利用者は携帯電話１を使用して携帯電話会社設備３のコンテンツサーバー３４にアクセスして、情報サービスのメニュー画面を呼び出して携帯電話１の表示部１０６に表示させる（ステップＳ００２）。
利用者が表示されたメニュー画面より「位置探索サービス」を選択する（ステップＳ００３）と、携帯電話１は位置提供会社設備２のサインアップサーバー２３と接続される。
ここで「位置探索サービス」が選択されない場合は所定の操作の後、本動作は終了する。
位置探索サービスが選択されると、図５（Ａ）に示すメニュー画面がサインアップサーバー２３より携帯電話１に送信され携帯電話１の表示部１０６に表示される。
利用者が表示されたメニュー画面（図５（Ａ））より「お申込」を選択すると（ステップＳ００４）、サインアップサーバー２３から位置探索サービスの案内画面およびサービス申込の手順、申込番号取得の手順を示した画面（図５（Ｂ））を携帯電話１に送信され携帯電話１の表示部１０６に表示する。
「お申込」が選択されずに「もっと知りたい」が選択されると、位置探索サービスの詳細な説明がコンテンツサーバー３４から送信表示され、その後、携帯電話１は動作を終了する。
利用者が図５（Ｂ）の表示画面の手順に従って「ＳＴＥＰ１へ進む」を選択すると、サインアップサーバー２３から申込用ソフト（申込用プログラム）のダウンロードメニュー画面（図６（Ａ））が送信され携帯電話１の表示部１０６に表示される。
利用者は、表示された申込用ソフト（申込用プログラム）のダウンロードメニュー画面（図６（Ａ））より、「ダウンロード」を選択して実行する。
すると、携帯電話１は携帯電話会社設備３のオフィシャルサーバー３１にアクセスしてオフィシャルサーバー３１より申込用ソフト（申込用プログラム）をダウンロードして記憶部１０５のアプリケーション領域Ａに記憶する（ステップＳ０５）。
ここで、利用者は、携帯電話１の操作部１０４を操作して通信を一旦終了させる。尚、申込用ソフト（申込用プログラム）は、Ｊａｖａ Ａｐｐｌｅｔで記述されているので、携帯電話１のブラウザ上で動作可能となる。
次に利用者は、携帯電話１を操作して、申込用ソフト（申込用プログラム）を起動させる。
申込用ソフト（申込用プログラム）は携帯電話１の表示部１０６に位置提供会社のＵＲＬとともに、接続するか否かのメニュー画面（図６（Ｂ））を表示する（ステップＳ００６）。ユーザーが図６（Ｂ）のメニュー画面から「はい」を選択すると、申込用ソフト（申込用プログラム）は携帯電話１の記憶部１０５のシステム領域Ｃから、携帯電話機の電話番号、携帯電話の機種番号、情報サービス申込時に設定されたＳｂＩＤ、ユーザーのメールアドレスを読み出す（ステップＳ００８）。そして、携帯電話１は携帯電話網８を介して位置提供会社設備２のサインアップサーバー２３にアクセスし（ステップＳ００９）、ステップＳ００８で読みだした携帯電話機の電話番号、携帯電話の機種番号、情報サービス申込時に設定されたＳｂＩＤ、ユーザーのメールアドレスからなる携帯電話情報をサインアップサーバー２３に送信する（ステップＳ０１０）。
携帯電話１の申込用ソフト（申込用プログラム）の動作は以上で終了する。
サインアップサーバー２３は、携帯電話１より携帯電話情報を受信すると、携帯電話１に図７（Ａ）に示す次のＳＴＥＰ２に進むように促すメニュー画面を送信し、携帯電話１の表示部１０６に表示する。
利用者が「ＳＴＥＰ２へ進む」を選択すると、サインアップサーバー２３は携帯電話１へ図７（Ｂ）に示す暗証番号設定画面を送信し携帯電話１の表示部１０６に表示する。
携帯電話１は受信した暗証番号設定画面を表示し、利用者は任意の暗証番号を入力する（Ｓ０１１）。
入力された暗証番号はサインアップサーバー２３に送信され、ステップＳ０１０で送信した携帯電話情報とともに記憶、管理される。
サインアップサーバー２３は、暗証番号の登録が完了すると、携帯電話１に対して、携帯電話１が位置探索サービスの端末機として機能するためのアプリケーションプログラムをダウンロードするためのメニュー画面（図８（Ａ））を送信し、携帯電話１の表示部１０６に表示する。
利用者は携帯電話１の表示部１０６に表示されたメニュー画面（図８（Ａ））に    従ってアプリケーションプログラムのダウンロード操作を行う。
携帯電話１は利用者のダウンロード操作により携帯電話会社のオフィシャルサーバー３２からアプリケーションプログラムをダウンロードして記憶する（ステップＳ０１２）。
携帯電話１ではアプリケーションプログラムのダウンロードが完了すると、アプリケーションプログラムを実行するか否かを選択する画面（図示せず）が表示されるので、利用者は「いいえ」を選択する。すると携帯電話１には再度図８（Ａ）のメニュー画面が表示されるので利用者は「ＳＴＥＰ４へ進む」を選択する。
サインアップサーバー２３は、携帯電話１から次のステップに進む旨のコマンドを受信すると、先に記憶された携帯電話及び暗証番号毎に申込番号を設定して、携帯電話１に送信する。
携帯電話１では、受信した申込番号を表示部１０５に表示する（ステップＳ０１３）。
利用者は携帯電話１の表示部に申込番号が表示されるとこれを控えた後通信を終了させる。
【００１０】
次に図４のフローチャートに示した動作以後の申込手続きを簡単に説明する。
その後、利用者は、別途、ＦＡＸや郵送、インターネット等を使用して利用者の氏名、住所、緊急連絡先、顔写真等の利用者情報を申込番号とともに位置提供会社に提出する。
位置提供会社では、利用者から利用者情報とともに申込番号が提出されるので、この申込番号を使用してサインアップサーバー２３に登録されたユーザーの携帯電話情報と関連づけて利用者情報を位置情報管理サーバー２１に登録する。
以上により、位置提供会社では、位置探索サービスを行う上で必要な携帯電話１の電話番号や機種番号を携帯電話１より直接取得することができるので、手入力による間違い等の発生を完全に防ぐことができ、確実な位置探索サービスを提供することが可能となる。
【図面の簡単な説明】
【図１】本発明が適用される携帯電話を利用した位置探索システムの全体構成図である。
【図２】本発明が適用される携帯電話の機能ブロック図である。
【図３】本発明が適用される携帯電話の記憶部の詳細を示す図である。
【図４】携帯電話１にて位置探索サービスの申し込みを行う場合の携帯電話１の動作を示したフローチャートである。
【図５】携帯電話１に表示される画面の例を示す図である。
【図６】携帯電話１に表示される画面の例を示す図である。
【図７】携帯電話１に表示される画面の例を示す図である。
【図８】携帯電話１に表示される画面の例を示す図である。
【符号の説明】
１… 携帯電話、２…位置提供会社設備、３…携帯電話会社設備、５…一般コンテンツサーバー、６…パソコン、７…ＧＰＳ衛星、８…携帯電話網、９…インターネット、
【図１】
0003897574.tif 000002
【図２】
0003897574.tif 000003
【図３】
0003897574.tif 000004
【図４】
0003897574.tif 000005
【図５】
0003897574.tif 000006
【図６】
0003897574.tif 000007
【図７】
0003897574.tif 000008
【図８】
0003897574.tif 000009